(57)【要約】      （修正有）【課題】筺体の小型化に貢献するキー構造を設けた携帯電話機を提供する。【解決手段】携帯電話機１は、キー４１〜４３及び当該キーを保持するキー保持部材４５を有するキーセット４０と、前記キーセットを収納する収納部１１が設けられたハウジング１０と、を備える。キーを、キー保持部材の開口部から当該キー保持部材に挿入し、当該キー保持部材は、当該挿入されたキーを保持し、当該キーが保持されたキー保持部材を、ハウジングに挿入し、当該キー保持部材を当該ハウジングが保持する。【選択図】図１
2014229934.tif 000002
【特許請求の範囲】
【請求項１】
キー及び当該キーを保持するキー保持部材を有するキーセットと、
前記キーセットを収納する収納部が設けられたハウジングと、
を備える携帯電子機器。
【請求項２】
前記キーには掛け部が設けられ、
前記キー保持部材には受け部が設けられ、
前記キーは、前記キーセットが保持された状態において、前記キーにおける掛け部が前記キー保持部材における受け部に掛かる請求項１に記載の携帯電子機器。
【請求項３】
前記キーセットには爪部が設けられ、
前記爪部によって、前記キーセットは前記収納部内に固定されて収納される
請求項１又は２に記載の携帯電子機器。
【請求項４】
付帯ケースをさらに備え、
前記キーセットは、前記ハウジングと前記付帯ケースとによって挟まれる請求項１から３のいずれか一項に記載の携帯電子機器。
【請求項５】
前記ハウジングは、表示部と、当該表示部を保護する保護部材と、を収納し、
前記キーセットは、前記ハウジングにおける保護部材と前記付帯ケースとによって挟まれる請求項４に記載の携帯電子機器。
【請求項６】
前記キーセットにおけるキー保持部材は、前記保護部材と、略同一平面上に位置する請求項１から５のいずれか一項に記載の携帯電子機器。
【請求項７】
前記キー保持部材は、その長手方向の長さが前記ハウジングの短手方向の長さと略等しい請求項１から６のいずれか一項に記載の携帯電子機器。
【請求項８】
前記キー保持部材は、前記ハウジングにおける長手方向の端部近傍に配置される請求項１から７のいずれか一項に記載の携帯電子機器。
【請求項９】
前記キーセットは、湾曲している請求項１から８のいずれか一項に記載の携帯電子機器。
【請求項１０】
キーを、キー保持部材の開口部から当該キー保持部材に挿入し、
当該キー保持部材は、当該挿入されたキーを保持し、
当該キーが保持されたキー保持部材を、ハウジングに挿入し、
当該キー保持部材を当該ハウジングが保持することによって、
当該キー保持部材を有する携帯電子機器を製造する携帯電子機器の製造方法。
【発明の詳細な説明】
【技術分野】
【０００１】
本出願は、携帯電子機器及び携帯電子機器の製造方法に関する。
【背景技術】
【０００２】
従来の携帯電話は、ラバーキーを備え、ケースの裏面からラバーキーを挿入するキー構造を有する（特許文献１）。
【先行技術文献】
【特許文献】
【０００３】
【特許文献１】実用新案登録第３１７５１２２号
【発明の概要】
【発明が解決しようとする課題】
【０００４】
しかし、従来の携帯電話では、ラバーキーを設けるために、筺体内において一定の領域を必要とするため筺体の小型化を阻害すると共にキー構造についても一定の制約がかかる。
【０００５】
そこで、本発明は、筺体の小型化に貢献するキー構造を設けた携帯電子機器を提供する。
【課題を解決するための手段】
【０００６】
本発明の携帯電子機器は、キー及び当該キーを保持するキー保持部材を有するキーセットと、前記キーセットを収納する収納部が設けられたハウジングと、を備える。
【０００７】
好適には、前記キーには掛け部が設けられ、前記キー保持部材には受け部が設けられ、前記キーは、前記キーセットが保持された状態において、前記キーにおける掛け部が前記キー保持部材における受け部に掛かる。
【０００８】
好適には、前記キーセットには爪部が設けられ、前記爪部によって、前記キーセットは前記収納部内に固定されて収納される。
【０００９】
好適には、付帯ケースをさらに備え、前記キーセットは、前記ハウジングと前記付帯ケースとによって挟まれる。
【００１０】
好適には、前記ハウジングは、表示部と、当該表示部を保護する保護部材と、を収納し、
前記キーセットは、前記ハウジングにおける保護部材と前記付帯ケースとによって挟まれる。
【００１１】
好適には、前記キーセットにおけるキー保持部材は、前記保護部材と、略同一平面上に位置する。
【００１２】
好適には、前記キー保持部材は、その長手方向の長さが前記ハウジングの短手方向の長さと略等しい。
【００１３】
好適には、前記キー保持部材は、前記ハウジングにおける長手方向の端部近傍に配置される。
【００１４】
好適には、前記キーセットは、湾曲している。
【００１５】
本発明の携帯電子機器の製造方法は、キーを、キー保持部材の開口部から当該キー保持部材に挿入し、当該キー保持部材は、当該挿入されたキーを保持し、当該キーが保持されたキー保持部材を、ハウジングに挿入し、当該キー保持部材を当該ハウジングが保持することによって、当該キー保持部材を有する携帯電子機器を製造する。
【発明の効果】
【００１６】
本発明によると、筺体の小型化に貢献するキー構造を設けた携帯電子機器を提供することができる。
【図面の簡単な説明】
【００１７】
【図１】図１は、本発明の実施形態における携帯電話機１の正面図である。
【図２】図２は、本発明の実施形態における携帯電話機１のキーセット４０の構成部材であるキー４１がキー保持部材４２に挿入される過程を示す図である。
【図３】図３は、図２のＡ−Ａ断面図である。
【図４】図４は、本発明の実施形態における携帯電話機１のキーセット４０がハウジング１０の収納部１１に収納される過程を示す図である。
【図５】図５は、本発明の実施形態における携帯電話機１の収納部１１に収納されている状態のキーセット４０のＡ−Ａ断面図である。
【発明を実施するための形態】
【００１８】
本発明の実施形態である携帯電話機（携帯電子機器）について以下に説明する。
【００１９】
図１は、本発明の実施形態である携帯電話機１の正面図を示す。
【００２０】
図１に示すように、携帯電話機１は、ハウジング１０と、表示部２０と、主に表示部２０を覆うカバーガラス３０（保護部材）と、キーセット４０と、付帯ケース５０と、を備える。また、携帯電話機１は、図示しないが、電池、着信ランプ、近接センサー、インカメラ、電源キー、音量キー、スピーカー、アンテナ、赤外線ポート、アウトカメラ等を備えていてもよい。
【００２１】
ハウジング１０は、携帯電話機１の各部品を覆う筺体であって、少なくとも、表示部２０と、カバーガラス３０と、キーセット４０と、を収納する。また、ハウジング１０は、その一部にキーセット４０を収納する収納部１１を有し、表示部２０、カバーガラス３０を収納する領域も別に設ける。
【００２２】
また、ハウジング１０は、図示しないが、例えば、電池、着信ランプ、近接センサー、インカメラ、電源キー、音量キー、スピーカー、アンテナ、赤外線ポート、アウトカメラ等を収納していてもよい。また、ハウジング１０は、複数のハウジングからなっていてもよく、複数のハウジングが互いに係合されることによって、一のハウジングが構成されていてもよい。また、ハウジング１０は、ＡＢＳ、ＰＣ／ＡＢＳ、マグネシウム合金等で成形されていてもよい。
【００２３】
収納部１１は、カバーガラス３０と隣接した位置に設けられるキーセット４０の裏側にハウジング１０の一部として構成される。収納部１１は、カバーガラス３０の面からハウジング１０の厚さ方向に凹んで設けられ、キーセット４０がその上に収納される。収納部１１は、キーセット４０を収納するために設けられたものであるため、その凹みの深さは、キーセット４０の高さと略同一であって、長手方向の長さ及び短手方向の幅はキーセット４０と略同一である。それによって、キーセット４０が収納部１１に収納された場合、キーセット４０における各キー４１〜４３のキートップ以外が突出することなく、ユーザの指がキーセット４０の一部に引っ掛かる等、ユーザの操作性を阻害することを低減することができる。
【００２４】
表示部２０は、ハウジング１０の中央に収納され、カバーガラス３０に覆われている。表示部２０は、例えば、タッチスクリーンディスプレイであってもよい、タッチスクリーンディスプレイとは、タッチスクリーンとディスプレイとを有するものを指す。
【００２５】
タッチスクリーンは、タッチスクリーンディスプレイに対する指、又はスタイラスペン等の接触を検出する。タッチスクリーンは、複数の指、又はスタイラスペン等がタッチスクリーンディスプレイに接触した位置及び／又はジェスチャーを検出することができる。タッチスクリーンの検出方式は、静電容量方式、抵抗膜方式、表面弾性波方式（又は超音波方式）、赤外線方式、電磁誘導式、及び荷重検出方式等の任意の方式でよい。
【００２６】
ディスプレイは、液晶ディスプレイ、有機ＥＬパネル、又は無機ＥＬパネル等の表示デバイスにより構成される。ディスプレイは、文字及び図形等の画像を表示することができる。
【００２７】
表示部２０は、ハウジング１０内に収納される図示しないＣＰＵ等に接続され、ＣＰＵ等からの入力指示を受けることで、当該入力指示に応じた画像を表示する。
【００２８】
カバーガラス３０は、ハウジング１０の長手方向の上端からキーセット４０の上端まで、表示部２０及び表示部２０の周縁に位置するハウジング１０の一部を覆い、外部に露出して構成される。カバーガラス３０は、両面テープや接着剤等の接着部材によってハウジング１０に対して外れないように固定されている。カバーガラス３０は、外部に露出している面とは反対側の面において表示部２０と近接又は接触していてもよく、例えば、表示部２０がタッチスクリーンディスプレイの場合、カバーガラス３０に接触すると、ユーザが操作したこととして検出してもよい。
【００２９】
キーセット４０は、各キー４１〜４３と、各キー４１〜４３を保持するキー保持部材４５とから構成される。キーセット４０は、ハウジング１０の長手方向の端部近傍であってカバーガラス３０に隣接した位置に設けられた収納部１１に対して取り外し可能に収納され、収納部１１に収納する方向に挿入することにより、収納部１１内に収納される。キーセット４０は、収納部１１に収納された状態では、ハウジング１０の長手方向の一方側からカバーガラス３０及びカバーガラス３０の下側に位置するハウジング１０によって、長手方向の他方側から付帯ケース５０によって挟まれる。キーセット４０は、長手方向の一方側及び他方側から挟まれることによって、キーセット４０の一方側及び他方側の両側から圧力を受ける。これによって、キーセット４０は、衝撃等の発生によって収納部１１から脱離することを低減することができる。特に、カバーガラス３０は平面方向に対する剛性が高いため、カバーガラス３０に接触しているキーセット４０は単にハウジング１０に対して接触している場合に比べて脱離の低減を向上することができる。なお、キーセット４０（キー保持部材４５）は、カバーガラス３０及びカバーガラス３０により覆われているハウジング１０の一部と、付帯ケース５０とに接触していなくとも、近接しているだけでもよい。
【００３０】
また、キーセット４０がハウジング１０の長手方向の端部近傍に設置されることにより、キーセット４０が表示部２０及びカバーガラス３０の配置を阻害することなく、ユーザにとって操作しやすい位置にキー４１〜４３が配置されるため、画面が見やすく、キーの操作がしやすい携帯電話機１を提供することができる。
【００３１】
なお、キーセット４０は、各キー４１〜４３及びキー保持部材４５以外の部材も含んでもよい。
【００３２】
このように、各キー４１〜４３と、各キー４１〜４３を保持するキー保持部材４５とからなるキーセット４０を、ハウジング１０とは別部材とすることにより、ハウジング１０自体にキー４１を保持する構造を設ける必要が無くなり、ハウジング１０の構造上の制約が少なくなり、ハウジング１０の製造が容易になる。また、キーセット４０のハウジング１０に対する取りつけについても、キーセット４０をハウジング１０の収納部１１に収納することにより取りつけられるため、キーセット４０の取りつけ工程も簡素化することができる。また、ハウジング１０に対して衝撃が生じたとしても、ハウジング１０に対する衝撃が各キー４１〜４３に直接伝わることなく、キー保持部材４５に伝わってから間接的に各キー４１〜４３に伝わるため、各キー４１〜４３に伝わる衝撃を緩和し、各キーの破損及びキー保持部材４５からの脱離を低減することができる。
【００３３】
各キー４１〜４３は、それぞれ別体のキーで構成され、キー保持部材４５内において、図１の正面図において、キー４１が左側端部、キー４２が中央部、キー４３が右側端部にそれぞれ配置される。キー４２は、キー４１とキー４３と近接して配置される。各キー４１〜４３は、各キー４１〜４３における各掛け部４１ｃ〜４３ｃがキー保持部材４５内の各キー４１〜４３に対応した各受け部４６〜４８にそれぞれ掛かることによって、各キー４１〜４３がキー保持部材４５内において保持される。つまり、ハウジング１０に対して衝撃等が生じたとしても、各キー４１〜４３は、キー保持部材４５から外れることを低減することができる。
【００３４】
キー４１は、長尺状の多面体構造を有し、キー４２と隣接する端部から逆側の端部に向けてカバーガラス３０側へ向かう方向（図１における左上方向）に湾曲した構造を有する。また、キー４３は、長尺状の多面体構造を有し、キー４２と隣接する端部から逆側の端部に向けてカバーガラス３０側へ向かう方向（図１における右上方向）に湾曲した構造を有する。また、キー４２は、長尺状の多面体構造を有し、その長手方向に略直線状の構造を有する。それによって、中央からハウジング１０の短手方向の両端に向けて湾曲した構造を有するキー保持部材４５に、各キー４１〜４３を挿入できるようにすることができる。また、各キー４１〜４３は、それぞれ異なる形状を有し、各キー４１〜４３を保持するキー保持部材４５も各キーによって当該キーを保持する構造が異なるため、各キー４１〜４３が誤った位置にセットされることがなく、携帯電話機１の製造工程においてキー配置にミスが生じにくい。なお、キー４１〜４３は、それぞれ別体のキーで構成されているとしたが、これに限られず、互いに結合した一体のキーとして構成されていてもよい。また、湾曲したキー保持構造４５に併せてキー４１及び４３も各端部側に向けて湾曲する構造としたが、これに限られず、キー保持構造４５が直線状の構造であるとした場合には、キー４１及び４３も直線状の構造であってもよく、その場合には、キー４１〜４３が全て同じ形状であってもよい。
【００３５】
また、各キー４１〜４３のうち両端のキー４１及び４３のキー４２と隣接しない側の端部の位置をカバーガラス３０の短手方向の端部と一直線上に合わせることにより、ユーザが、カバーガラス３０への接触から接触を維持しつつ、シームレスにキー４１〜４３の押下に移行することができる。
【００３６】
また、各キー４１〜４３は、ユーザの視認方向に各キー４１〜４３を付勢するための図示しない付勢部材（例えば、ゴム、バネ等）によって、キー保持部材４５に収納される各キー４１〜４３の各キートップ４１ａ〜４３ａがキー保持部材４５内から、各キートップ４１ａ〜４３ａが露出するようになる。なお、付勢部材は、キー保持部材４５若しくは収納部１１内に設けられている。
【００３７】
また、各キー４１〜４３は、キー保持部材４５に保持されているため、ユーザがキー４１のキートップ４１ａ〜４３ａを押下することに伴う振動や，携帯電話機１の落下による振動によって、各キー４１〜４３がキー保持部材４５から脱離することを低減することができる。
【００３８】
キー保持部材４５は、各キー４１〜４３を挿入可能にし、挿入された各キー４１〜４３を保持する構造を有する。キー保持部材４５は、中央からハウジング１０の短手方向の両端に向けて湾曲した構造を有する。また、キー保持部材４５の厚さは、収納部１１の深さと略等しく構成されている。
【００３９】
また、キー保持部材４５は、その長手方向の長さをハウジング１０の短手方向の長さと略同一とし、各キー４１〜４３を収納するための収納領域をその長手方向の端部近傍にまで設けた。それによって、各キー４１〜４３のうち両端のキー４１及び４３をキー保持部材４５の端部近傍にまで配置することができると共に、各キー４１〜４３の体積及び各キー４１〜４３のキートップの面積を大きくすることができ、ユーザがキーを押しやすくできるようにした。
【００４０】
また、キー保持部材４５の厚さは、収納部１１の深さと略等しく構成されているため、キー保持部材４５がハウジング１０の収納部１１に収納されると、キー保持部材４５の外部に露出する面は、カバーガラス３０の面と略同一平面となるため、カバーガラス３０からキー４１にユーザが指を移動した際に、キー保持部材４５の外部に露出する面による段差をほとんど感じることなく、シームレスに各キー４１〜４３を押すことができる。なお、キー保持部材４５の形状は湾曲した形状に限られず、例えば、直線状であってもよい。
【００４１】
付帯ケース５０は、凹形状で構成され、ハウジング１０のキーセット４０側端部に対して当接させることにより、ハウジング１０の一部を覆うように取り付けられる。その取り付けの態様の第１の例としては、ハウジング１０における図示しない係止部が付帯ケース５０の内側に設けられた図示しない被係止部とが互いに係合することによって取り付けられる、又はハウジング１０における図示しない被係止部が第２ケースにおける図示しない係止部とが互いに結合することによって固定される。また、取り付けの態様の第２の例としては、ハウジング１０と付帯ケース５０とが両面テープ若しくはボンド等の接着材によって接着されることで取り付けられる。なお、付帯ケース５０がハウジング１０に対して取り付けられる態様はこれに限られない。また、付帯ケース５０は、ハウジング１０に対して取り付けられている状態において、キーセット４０（キー保持部材４２）の端部近傍側側面において接触する。それによって、キーセット４０は、カバーガラス３０側側面からカバーガラス３０及びハウジング１０によって、ハウジング１０端部側から付帯ケース５０によって挟まれ、圧力を受けるため、携帯電話機１に対して上下振動等の衝撃が発生したとしても、キーセット４０がハウジング１０から脱離することを低減することができる。
【００４２】
図２は、キーセット４０の構成部材である各キー４１〜４３がキー保持部材４５に挿入される過程を示す図である。
【００４３】
キーセット４０は、各キー４１〜４３と、挿入された各キー４１〜４３を保持するキー保持部材４５とからなり、図１に示すようにハウジング１０の収納部１１にキーセット４０が収納されている状態においては、各キー４１〜４３がキー保持部材４５に収納された状態で構成されるが、各キー４１〜４３をキー保持部材４５から脱離すると、図２のようになる。
【００４４】
各キー４１〜４３は、各キートップ４１ａ〜４３ａと、掛け部４１ｃ〜４３ｃ、各突起部４１ｂ〜４３ｂとからなる。
【００４５】
各キートップ４１ａ〜４３ａは、各キー４１〜４３の上面側に設けられ、長尺状の多面体形状を有する。特に、キートップ４１ａ及び４３ａは、キー４２に隣接する端部からその逆側の端部に向かって図２の奥向き方向に湾曲している。また、キートップ４１ａ及び４３ａは、キー４２に隣接する端部に比べてその逆側端部の傾斜面の面積が広く設けられている。これによって、ユーザが、キー４１ａ及び４３ａを押圧する際に、その端部に指が引っ掛かりにくくなり、キー４１ａ及び４３ａを押圧しやすくなる。
【００４６】
各突起部４１ｂ〜４３ｂは、各キー４１〜４３において、各キートップ４１ａ〜４３ａ側とは反対方向に突出する形状で構成される。各突起部４１ｂ〜４３ｂは、各キー４１〜４３がキー保持部材４５に保持され、キーセット４０がハウジング１０の収納部１１に収納された状態において、ユーザの指等によって、各キートップ４１ａ〜４３ａが押下されたことに応じて、連動して、ハウジング１０内に収納された図示しないメタルドームスイッチ等を押し下げるための部材である。また、各突起部４１ｂ〜４３ｂによって、メタルドームスイッチ等が押し下げられると、それに従って入力信号が図示しないＣＰＵに入力され、押し下げられたメタルドームスイッチ等に対応するキーが押下されたことを検出する。
【００４７】
各掛け部４１ｃ〜４３ｃは、各キー４１〜４３において、各キートップ４１ａ〜４３ａの裏側の面に設けられ、当該裏側の面において、短手方向に各キートップ４１ａ〜４３ａより両側に突出した凸形状を有する。各掛け部４１ｃ〜４３ｃは、キー保持部材４５の受け部４５ｂより剛性の高い材質で構成される。各掛け部４１ｃ〜４３ｃは、各キー４１〜４３がキー保持部材４５に挿入されると、キー保持部材４５に構成される各孔部４６〜４８に挿入される。各掛け部４１ｃ〜４３ｃは、各キー４１〜４３の長手方向の長さが各孔部４６〜４８のキー保持部材４５の長手方向の長さと略等しく構成されている。それによって、各キー４１〜４３がキー保持部材４５に挿入され、各掛け部４１ｃ〜４３ｃが各孔部４６〜４８に挿入された際に、各掛け部４１ｃ〜４３ｃが各孔部４６〜４８内の長手方向での移動が規制されるため、キー保持部材４５に挿入された各キー４１〜４３のキー保持部材４５内での長手方向のブレを低減できる。
【００４８】
キー保持部材４５は、開口部４５ａ、受け部４５ｂ、爪部４５ｃ、各孔部４６〜４８を有する。
【００４９】
開口部４５ａは、キー保持部材４５の厚さ方向の上面側に凹形状を有する。キー保持部材４５の開口部４５ａ内の容積は、各キー４１〜４３の体積と略等しく構成されている。それによって、各キー４１〜４３をキー保持部材４５内に収納することを可能とする。よって、各キー４１〜４３をキー保持部材４５に挿入した際に、キーセット４０において、各キー４１〜４３が突出することなく、収められ、キーセット４０単体で動かす際に、キートップ４１ａ〜４３ａが邪魔になることを低減することができる。各キートップ４１ａ〜４３ａをキー保持部材４５内に収納した際に、キー保持部材４５内に収納されることになるため、キーセット４０を収納部１１に収納した際に、各キートップ４１ａ〜４３ａの押下に従って、各キートップ４１ａ〜４３ａがキー保持部材４５に収納されるため、ユーザによってキーをしっかりと押した感触を得ることができる。
【００５０】
受け部４５ｂは、キー保持部材４５の上面側であって開口部４５ａの短手方向の両端に、長手方向に亘って設けられている。２つの受け部４５ｂの互いの間隔は、キートップ４１ａ〜４３ａの幅方向の長さより大きく、掛け部４１ｂ〜４３ｂの幅方向の長さより小さく構成されている。また、受け部４５ｂは、掛け部４１ｃ〜４３ｃに比べて剛性の低い部材で構成され、掛け部４１ｃ〜４３ｃによる押圧によって撓むよう構成されている。これによって、受け部４５ｂは、キー４１（４２、４３）が、キー保持部材４５内にその開口部４５ａから挿入される際に、掛け部４１ｂ（４２ｂ、４３ｂ）に当接し、その後、さらにキー４１（４２、４３）によるキー４１が挿入される方向への押圧を受けると、撓む。その後、キー４１（４２、４３）がキー保持部材４５内に挿入されると、受け部４５ｂは、撓んだ状態から復元し、キー４２がキー保持部材４５より脱離されることを低減することができる。
【００５１】
爪部４５ｃは、キー保持部材４５の底面に設けられ、底面側に向かって突出して構成されている。爪部４５ｃは、ハウジング１０の収納部１１内に設けられている、図示しない孔に挿入され、係合される。それによって、キー保持部材４５（キーセット４０）は、収納部１１内に固定され、ハウジング１０に対する衝撃等によってキー保持部材４５（キーセット４０）が脱離することを低減することができる。
【００５２】
各孔部４６〜４８は、キー保持部材４５において、一の受け部４５ｂの下に６つ、つまり各キー４１〜４３にそれぞれ２つずつ設けられている。各孔部４６〜４８は、各キー４１〜４３の各掛け部４１ｃ〜４３ｃの長手方向の長さと略等しい長さで、各掛け部４１ｃ〜４３ｃの高さに比べて十分大きい高さで構成されている。２つの孔部４６（４７、４８）の互いの間隔は、キーの２つの掛け部４１ｃ（４２ｃ、４３ｃ）の互いの間隔と等しく構成されている。つまり、各孔部４６〜４８は、各キー４１〜４３がキー保持部材４５に挿入された場合、各掛け部４１ｃ〜４３ｃが挿入され、キー保持部材４５の長手方向のブレが発生しないよう構成されている。
【００５３】
各キー４１〜４３は、各突起部４１ｂ〜４３ｂを下にした状態で、図２に示す矢印方向へ移動することによって開口部４５ａからキー保持部材４５内に挿入される。その挿入過程については、図３において後述する。
【００５４】
図３は、図２のＡ−Ａ断面図である。つまり、各キー４１〜４３のうち一のキー４２がキー保持部材４５に挿入される過程のキー４２及びキー保持部材４５の垂直方向の断面図である。
【００５５】
キー４２は、キートップ４２ａと、掛け部４２ｃ側の部材とが結合されて構成されている。なお、キー４２は、２つの部材が結合されて構成されていることに限られず、例えば、１つの部材からなり、その部材にキートップ４２ａ、突起部４２ｂ、掛け部４２ｃがそれぞれ設けられていてもよい。
【００５６】
２つの受け部４５ｂは、キー４２の掛け部４５ｃがキー保持部材４５の開口部４５ａに挿入される過程で、掛け部４２ｃの接触による押圧を受け、互いに離間する方向へ撓む。次に、掛け部４２ｃを含むキー４２が矢印方向への挿入が進み、掛け部４２ｃが受け部４５ｂから接触された状態から解放されると、２つの受け部４５ｂが撓んだ状態から元の状態に戻ると共に、掛け部４２ｃは、一端側が孔部４７に入ると共に、他端側が他端側の受け部４５ｂの下の空間に入る。これによって、キー４２は、キー保持部材４５内に収納されることになる。このようにして、キー４２とキー保持部材４５とからなるキーセット４０が形成される。
【００５７】
ここで、キーセット４０に対して、衝撃等が生じたことによって、キー４２に対してキー保持部材４５から離脱する方向に力が生じたとしても、キー４２の掛け部４２ｃがキー保持部材４５の受け部４５ｂに引っ掛かり、キー４２がキー保持部材４５から脱離する方向への移動を規制することによってキー４２の脱離を防止することができる。なお、２つの受け部４５ｂは、撓む部材で構成されていることに限定されず、２つの受け部４５ｂ周辺の部材が撓む部材で構成されていてもよく、その場合には、キー４２の掛け部４２ｃの接触による押圧を受けることによって、２つの受け部４５ｂ周辺の部材が撓むことで、キー４２は、開口部４５ａから挿入され、キー保持部材４５内において保持される。
【００５８】
図４は、携帯電話機１のキーセット４０がハウジング１０の収納部１１に収納される過程を示す図である。
【００５９】
キーセット４０は、各キー４１〜４３がキー保持部材４５に挿入され、各キー４１〜４３がキー保持部材４５内に保持され、各キー４１〜４３とキー保持部材４５とが一体化されたものである。キーセット４０におけるキー保持部材４５には、キートップ４１ａ〜４３ａ側とは逆側の面に突出する爪部４５ｃが設けられている。
【００６０】
ハウジング１０の収納部１１には、爪部４５ｃの挿入を可能にする図示しない孔が設けられる。
【００６１】
キーセット４０は、図４に示す矢印の方向に移動し、収納部１１に挿入されると、爪部４５ｃが収納部１１に設けられた図示しない孔に挿入され、収納部１１に対して固定される。それによって、キーセット４０が収納部１１から脱離することを低減することができる。また、キーセット４０におけるキー保持部材４５の底面には両面テープが接着されている。これによって、キーセット４０が収納部１１に収納される際に、収納部１１における、キー保持部材４５と接触する面において両面テープが接着することで、キーセット４０が収納部１１から脱離することを低減することができる。
【００６２】
また、キーセット４０を収納部１１から取り外す際には、キーセット４０をハウジング１０から離す方向へ引っ張ることにより、キー保持部材４５に設けられた爪４５ｃが収納部１１内の孔から抜け、ハウジング１０を分解することなく、キーセット４０をハウジング１０から取り外すことができる。よって、携帯電話機１の組み立ての工程において、キーセット４０の取り外し等が必要になった場合に、容易に取り外すことができる。
【００６３】
図５は、図４のキーセット４０が、収納部１１に収納された状態のＡ−Ａ断面図である。
【００６４】
キーセット４０が収納部１１に収納された状態においては、ハウジング１０又は収納部１１に設けられ、各キー４１〜４３をユーザの視認する方向へ付勢する付勢部材によって各キー４１〜４３が付勢され、各キー４１〜４３のキートップ４１ａ〜４３ａがキー保持部材４５から突出した状態となる。その際に、キー４２（４１、４３）は、キー４２（４１、４３）に設けられている掛け部４２ｃ（４１ｃ、４３ｃ）によって、キー保持部材４５に設けられた受け部４５ｂに引っ掛かった状態となる。それによって、キートップ４２ａ（４１ａ、４３ａ）が突出した状態においても、キー４２（４１、４３）がキー保持部材４５から脱離することを低減することができる。
【００６５】
本実施形態により、携帯電話機において、キーを保持するためのハウジングに必要な領域はキー保持部材を収納する収納部のみとなり、キー保持するための構造をハウジングにおいて設ける必要がなくなるため、ハウジングのキーを保持するために要する領域が低減することができると共にハウジングのデザイン上の制約も低減することができる。
【００６６】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００６７】
また、本発明の装置は、実施形態における携帯電話機１に限定されず、携帯型パソコン、デジタルカメラ、メディアプレイヤ、電子書籍リーダ、ナビゲータ、ゲーム機等の携帯電子機器、通信機能に特化した通信専用モジュール、デスクトップパソコン、テレビ受像器等の据え置き型の電子機器であってもよい。
【符号の説明】
【００６８】
１  携帯電話機
１０  ハウジング
１１  収納部
２０  ディスプレイ
３０  カバーガラス
４０  キーセット
４１〜４３  キー
４１ａ〜４２ａ  キートップ
４１ｂ〜４３ｂ  突起部
４１ｃ〜４３ｃ  掛け部
４５  キー保持部材
４５ａ  開口部
４５ｂ  受け部
４５ｃ  爪部
４６〜４８  孔部
５０  付帯ケース
【図１】
2014229934.tif 000003
【図２】
2014229934.tif 000004
【図３】
2014229934.tif 000005
【図５】
2014229934.tif 000006
【図４】
2014229934.tif 000007